(57)【要約】【課題】リスクマネジメントにおいて、外部コンサルタントや企業の内部者（特にリスク管理の専任者や企業経営者）による改善状況のリアルタイム管理を実現する。【解決手段】第１端末装置２０ａは、１又は複数の指摘事項の入力を受け付け、サーバ装置１０に送信する指摘事項入力部２４を含み、サーバ装置１０は、受信した１又は複数の指摘事項を記憶する記憶部１２を含み、第２端末装置２０ｂは、記憶部１２に記憶される１又は複数の指摘事項を表示する表示部２２ｂと、表示した指摘事項についての改善報告の入力を受け付け、サーバ装置１０に送信する改善報告入力部２３と、を含み、記憶部１２は、この改善報告を指摘事項と対応付けて記憶し、第１端末装置２０ａは、記憶部１２に記憶される指摘事項及び改善報告を対応付けて表示する表示部２２ａをさらに含む、ことを特徴とするリスクマネジメントシステム。【選択図】図２
2007115055.tif 000002
【特許請求の範囲】
【請求項１】
サーバ装置と、前記サーバ装置と通信可能に接続される第１端末装置と、前記サーバ装置と通信可能に接続される第２端末装置と、を含むリスクマネジメントシステムであって、
前記第１端末装置は、
１又は複数の指摘事項の入力を受け付け、前記サーバ装置に送信する指摘事項入力手段、
を含み、
前記サーバ装置は、
前記第１端末装置から受信した１又は複数の指摘事項を記憶する記憶手段、
を含み、
前記第２端末装置は、
前記記憶手段に記憶される１又は複数の指摘事項を表示する第２表示手段と、
前記第２表示手段により表示した１又は複数の指摘事項についての改善報告の入力を受け付け、前記サーバ装置に送信する改善報告入力手段と、
を含み、
前記記憶手段は、前記サーバ装置が前記第２端末装置から受信した改善報告を、指摘事項と対応付けて記憶し、
前記第１端末装置は、
前記記憶手段に記憶される１又は複数の指摘事項と、該各指摘事項と対応付けてそれぞれ記憶される改善報告と、を対応付けて表示する第１表示手段、
をさらに含む、
ことを特徴とするリスクマネジメントシステム。
【請求項２】
請求項１に記載のリスクマネジメントシステムにおいて、
前記サーバ装置は、
前記第１端末装置から受信した各指摘事項についてのプライオリティを取得するプライオリティ取得手段、
をさらに含み、
前記記憶手段は、前記第１端末装置から受信した１又は複数の指摘事項を、それぞれについて取得したプライオリティとともに記憶し、
前記第２表示手段は、前記１又は複数の指摘事項のそれぞれについて記憶されるプライオリティに応じて、該１又は複数の指摘事項を表示する、
ことを特徴とするリスクマネジメントシステム。
【請求項３】
請求項２に記載のリスクマネジメントシステムにおいて、
前記第１端末装置は、
評価項目ごとの判定結果の入力を受け付け、前記サーバ装置に送信する判定結果入力手段、
をさらに含み、
前記評価項目は、１又は複数の指摘事項を含み、
前記プライオリティ取得手段は、受信した前記判定結果に基づき、前記第１端末装置から受信した各指摘事項について、そのプライオリティを取得する、
ことを特徴とするリスクマネジメントシステム。
【発明の詳細な説明】
【技術分野】
【０００１】
本発明はリスクマネジメントシステムに関する。
【背景技術】
【０００２】
企業のリスク管理が重要視されるようになるに従い、リスク管理の方法も多様化している。そのうちのひとつに、外部コンサルタントにリスク要因を指摘させ、指摘されたリスク要因を改善していくようにする方法がある。このリスク管理方法（以下、外部リスクマネジメントと称する。）は、外部の人間の目で客観的にリスクを確認できるところに特徴がある。
【０００３】
外部リスクマネジメントでは、指摘されたリスク要因を改善するのは企業の内部担当者である。改善状況は定期的にまとめられ、外部コンサルタントや当該企業の経営者に報告される。
【発明の開示】
【発明が解決しようとする課題】
【０００４】
しかしながら、外部リスクマネジメントでは、外部コンサルタントによる改善状況のリアルタイム管理が難しいという問題がある。すなわち、外部コンサルタントは指摘されたリスク要因を取り除く内部担当者と同じ場所にいないのが通常であるので、改善状況は上述のように定期的に報告されることになる。
【０００５】
この事情は企業の経営者にとっても同様である。すなわち、外部コンサルタントだけでなく、企業の経営者にとっても、改善状況をリアルタイムに管理することは困難である。
【０００６】
さらに、外部コンサルタントだけでななく、企業の内部者がリスク要因を指摘することもありうる。特に、国内外に複数施設を有する企業では、本社にリスク管理の専任者を置き、該専任者がリスク要因を指摘するようにしていることがある（以下では、このリスク管理方法を内部リスクマネジメントと称し、外部リスクマネジメントと内部リスクマネジメントを総称して、単にリスクマネジメントと称する。）。内部リスクマネジメントについても、上記同様に、改善状況をリアルタイムに管理することが困難である。
【０００７】
従って、本発明の課題の一つは、リスクマネジメントにおいて、外部コンサルタントや企業の内部者（特にリスク管理の専任者や企業経営者）による改善状況のリアルタイム管理を実現するためのリスクマネジメントシステムを提供することにある。
【課題を解決するための手段】
【０００８】
上記課題を解決するための本発明に係るリスクマネジメントシステムは、サーバ装置と、前記サーバ装置と通信可能に接続される第１端末装置と、前記サーバ装置と通信可能に接続される第２端末装置と、を含むリスクマネジメントシステムであって、前記第１端末装置は、１又は複数の指摘事項の入力を受け付け、前記サーバ装置に送信する指摘事項入力手段、を含み、前記サーバ装置は、前記第１端末装置から受信した１又は複数の指摘事項を記憶する記憶手段、を含み、前記第２端末装置は、前記記憶手段に記憶される１又は複数の指摘事項を表示する第２表示手段と、前記第２表示手段により表示した１又は複数の指摘事項についての改善報告の入力を受け付け、前記サーバ装置に送信する改善報告入力手段と、を含み、前記記憶手段は、前記サーバ装置が前記第２端末装置から受信した改善報告を、指摘事項と対応付けて記憶し、前記第１端末装置は、前記記憶手段に記憶される１又は複数の指摘事項と、該各指摘事項と対応付けてそれぞれ記憶される改善報告と、を対応付けて表示する第１表示手段、をさらに含む、ことを特徴とする。
【０００９】
これによれば、外部コンサルタントや企業の内部者（特にリスク管理の専任者や企業経営者）は、第１端末装置において指摘事項ごとに改善報告を確認することができるので、リスクマネジメントにおいて、これらの者による改善状況のリアルタイム管理を実現することができる。
【００１０】
また、上記リスクマネジメントシステムにおいて、前記サーバ装置は、前記第１端末装置から受信した各指摘事項についてのプライオリティを取得するプライオリティ取得手段、をさらに含み、前記記憶手段は、前記第１端末装置から受信した１又は複数の指摘事項を、それぞれについて取得したプライオリティとともに記憶し、前記第２表示手段は、前記１又は複数の指摘事項のそれぞれについて記憶されるプライオリティに応じて、該１又は複数の指摘事項を表示する、こととしてもよい。
【００１１】
これによれば、第２端末装置はプライオリティに応じて指摘事項を表示するので、内部担当者はどの指摘事項から改善していくべきか、認識することができるようになる。
【００１２】
また、このリスクマネジメントシステムにおいて、前記第１端末装置は、評価項目ごとの判定結果の入力を受け付け、前記サーバ装置に送信する判定結果入力手段、をさらに含み、前記評価項目は、１又は複数の指摘事項を含み、前記プライオリティ取得手段は、受信した前記判定結果に基づき、前記第１端末装置から受信した各指摘事項について、そのプライオリティを取得する、こととしてもよい。
【００１３】
これによれば、プライオリティを外部コンサルタントや企業の内部者（特にリスク管理の専任者や企業経営者）の判定結果に基づいて取得することができる。
【発明を実施するための最良の形態】
【００１４】
本発明の実施の形態について、図面を参照しながら説明する。なお、本実施の形態では外部リスクマネジメントを例にとり説明を行うが、内部リスクマネジメントについても同様に本発明を適用できる。
【００１５】
図１は、本実施の形態に係るリスクマネジメントシステム１のシステム構成を示す図である。同図に示すように、リスクマネジメントシステム１は、コンサルタント用の第１端末装置２０ａ、工場用の第２端末装置２０ｂ、サーバ装置１０、及びインターネット３０を含んで構成される。なお、リスクマネジメントシステム１では複数の企業グループ及びその系列会社がそれぞれ経営する複数の工場（海外を含む）が含まれ、各工場に第２端末装置２０ｂが設置される。
【００１６】
サーバ装置１０、第１端末装置２０ａ、及び第２端末装置２０ｂはいずれもＣＰＵ及びメモリを備えたコンピュータであり、インターネット３０を介して互いに通信接続する。このように、リスクマネジメントシステム１は、各装置がインターネット３０を介してオンラインで接続されるオンラインシステムのひとつである。
【００１７】
サーバ装置１０は、コンサルタントが各工場のリスク要因を調査（リスク調査）した結果を管理し、コンサルタント及び各工場の担当者の間で、調査の結果並びに該結果についての改善報告を共有することを実現する。ここで、リスク要因の例には、「燃えやすい物が工場内にあること」などが挙げられる。
【００１８】
このために、サーバ装置１０は、第１端末装置２０ａから、リスク調査の結果得られる各リスク要因を改善するための指摘事項の入力を受け付け、会社ごとに記憶する。
【００１９】
また、サーバ装置１０は、第２端末装置２０ｂにおいて当該サーバ装置１０に記憶される指摘事項を表示するとともに、各指摘事項に対応する改善報告（改善内容や進捗情報など）の入力を受け付ける。
【００２０】
なお、サーバ装置１０は、予め定められた評価項目ごとに、１又は複数の上記指摘事項の入力を受け付ける。加えて、サーバ装置１０は、第１端末装置２０ａから、評価項目ごとの判定結果の入力を受け付ける。サーバ装置１０は、こうして受け入れた評価項目ごとの判定結果に基づき、指摘事項のプライオリティを決定し、第２端末装置２０ｂに、このプライオリティに応じた指摘事項の表示を行わせる。また、サーバ装置１０は、１又は複数の指摘事項についての改善が完了した場合に、各指摘事項についてのプライオリティを更新する。
【００２１】
以下、このようなリスクマネジメントシステム１の構成について、詳細に説明する。
【００２２】
図２は、リスクマネジメントシステム１の機能ブロックを示す図である。同図に示すように、第１端末装置２０ａは機能的に、制御部２１ａ、表示部２２ａ、指摘事項入力部２４、判定結果入力部２５を含んで構成される。また、第２端末装置２０ｂは機能的に、制御部２１ｂ、表示部２２ｂ、改善報告入力部２３を含んで構成される。さらに、サーバ装置１０は機能的に、制御部１１、記憶部１２を含んで構成される。この制御部１１は内部的に、評価値算出部１１０、優先順位算出部１１１を含んで構成される。
【００２３】
まず、コンサルタントによる指摘事項及び判定結果の入力を受け付けるための構成について説明する。
【００２４】
初めに、記憶部１２に記憶される情報と、第１端末装置２０ａのディスプレイ上に表示される画面と、について説明する。
【００２５】
記憶部１２はユーザＩＤテーブルを記憶している。図３は、このユーザＩＤテーブルの例を示す図である。同図に示すように、ユーザＩＤテーブルには複数のユーザＩＤが記憶され、さらに各ユーザＩＤに対応付けてパスワード及び種別が記憶される。種別は、ユーザＩＤにより識別されるユーザが、コンサルタント又は工場の担当者のいずれであるか、かつ工場の担当者である場合にはどの会社に属する担当者であるか、を示すデータである。
【００２６】
また、記憶部１２は、ユーザＩＤとパスワードの入力を受け付けるログイン画面を生成するためのログイン画面生成元データを記憶している。図４は、このログイン画面の例を示す図である。同図に示すように、ログイン画面はユーザＩＤを入力するためのユーザＩＤ入力ボックス４０と、パスワードを入力するためのパスワード入力ボックス４１と、ログインボタン４２と、を有している。このログイン画面は、第１端末装置２０ａや第２端末装置２０ｂのユーザがログインボタン４２を押下すると、ユーザＩＤ入力ボックス４０に入力されたユーザＩＤと、パスワード入力ボックス４１に入力されたパスワードと、がサーバ装置１０に送信されるように構成されている。
【００２７】
さらに、記憶部１２は、第１端末装置２０ａで表示する選択画面を生成するための選択画面生成元データを記憶している。図５は、この選択画面の例を示す図である。同図に示すように、選択画面は指摘事項入力画面表示ボタン４５と、改善状況一覧画面表示ボタン４６と、を有している。この選択画面は、第１端末装置２０ａのユーザが指摘事項入力画面表示ボタン４５を押下すると第１端末装置２０ａのディスプレイに指摘事項判定結果入力画面（後述）が表示され、改善状況一覧画面表示ボタン４６を押下すると第１端末装置２０ａのディスプレイに改善状況一覧画面（後述）が表示されるように構成されている。
【００２８】
また、記憶部１２は、指摘事項及び判定結果の入力を受け付ける指摘事項判定結果入力画面を生成するための指摘事項判定結果入力画面生成元データを記憶している。図６は、この指摘事項判定結果入力画面の例を示す図である。同図に示すように、指摘事項判定結果入力画面は会社名を選択又は入力するための会社選択コンボボックス５０と、アップロードするための指摘事項ファイル（後述）のアドレスを入力するための指摘事項ファイルアドレス入力ボックス５１と、評価項目ごとに判定結果を入力するための判定結果入力表５２と、登録ボタン５３と、を有している。
【００２９】
この指摘事項入力画面は、第１端末装置２０ａのユーザが登録ボタン５３を押下すると、会社選択コンボボックス５０に入力された会社名と、指摘事項ファイルアドレス入力ボックス５１に入力されたアドレスにより示される指摘事項ファイルと、判定結果入力表５２に入力された判定結果と、がサーバ装置１０に送信されるように構成されている。
【００３０】
ここで、記憶部１２は、後述する処理により判定結果入力表５２を生成するための評価項目テーブルを記憶している。図７は、この評価項目テーブルの例である。同図に示すように、評価項目テーブルは、大項目ごとに１又は複数の評価項目を記憶し、さらに各評価項目について項目ウエイトを記憶している。ある大項目に含まれる各評価項目は、その重要性が互いに異なることがある。項目ウエイトはこの重要性を示すための数値である。この項目ウエイトには、大項目ごとにその合計が１０となる数字が記憶される。
【００３１】
また、評価項目テーブルは、大項目ごと及び業種ごとに業種ウエイトを記憶する。大項目は、その重要性が会社の業種によって異なることがある。業種ウエイトはこの重要性を示すための数値である。
【００３２】
この業種ウエイトに関し、記憶部１２は、各会社の業種を示す業種テーブルを記憶している。図８はこの業種テーブルの例である。同図に示すように、業種テーブルは、企業グループ及び会社と対応付けて、その業種を記憶している。
【００３３】
リスクマネジメントシステム１は、以上の記憶部１２に記憶される情報と、画面と、を利用して、コンサルタントが入力する指摘事項及び判定結果を受け付ける。以下、このための構成について、詳細に説明する。
【００３４】
まず、制御部２１ａは、第１端末装置２０ａの各部を制御する。
【００３５】
表示部２２ａは、制御部２１ａの制御に従い、第１端末装置２０ａのディスプレイに、ブラウザソフト起動のためのアイコンを表示する。コンサルタントがこのアイコンをクリックすると、ブラウザソフトが起動する。このブラウザソフトにおいて、制御部２１ａはＵＲＬの入力を受け付ける。コンサルタントがサーバ装置１０を示すＵＲＬを入力すると、制御部２１ａは、サーバ装置１０に対して接続要求を送信する。
【００３６】
制御部１１は上記接続要求を受信し、ログイン画面表示データを生成する。具体的には、上記接続要求に応じて上記ログイン画面生成元データを読み出してログイン画面を表示するためのログイン画面表示データを生成し、制御部２１ａに対して送信する。
【００３７】
制御部２１ａは、受信したログイン画面表示データに基づき、表示部２２ａにログイン画面を表示させる。このログイン画面において、制御部２１ａはユーザＩＤとパスワードの入力を受け付け、制御部１１に送信する。
【００３８】
制御部１１はユーザＩＤとパスワードを受信し、ユーザＩＤがユーザＩＤテーブルに記憶されているもののいずれかと一致するか否かを確認する。制御部１１はさらに、一致したユーザＩＤと対応付けて記憶されているパスワードと入力されたパスワードとが一致しているか否かを確認する。パスワードの一致まで確認された場合、制御部１１は、ユーザＩＤと対応付けて記憶されている種別を取得する。ここでは、この種別としてコンサルタントが取得される。
【００３９】
種別としてコンサルタントが取得されると、制御部１１は、選択画面表示データを生成する。具体的には、選択画面生成元データを読み出して選択画面を表示するための選択画面表示データを生成し、制御部２１ａに対して送信する。
【００４０】
制御部２１ａは、受信した選択画面表示データに基づき、表示部２２ａに選択画面を表示させる。この選択画面において、制御部２１ａは指摘事項入力画面表示ボタン４５又は改善状況一覧画面表示ボタン４６の押下を受け付け、受け付けたボタンを示す選択ボタン情報を、サーバ装置１０に送信する。ここでは、指摘事項入力画面表示ボタン４５が押下されたものとして説明する。
【００４１】
制御部１１は選択ボタン情報を受信する。この選択ボタン情報が指摘事項入力画面表示ボタン４５を示している場合、制御部１１は、指摘事項入力画面表示データを生成する。具体的には、指摘事項入力画面生成元データを読み出して指摘事項入力画面を表示するための指摘事項入力画面表示データを生成する。このとき、制御部１１は、記憶部１２に記憶される評価項目テーブルに基づいて判定結果入力表５２を生成し、指摘事項入力画面表示データに含める。制御部１１は、生成した指摘事項入力画面表示データを制御部２１ａに対して送信する。
【００４２】
制御部２１ａは、受信した指摘事項入力画面表示データに基づき、表示部２２ａに指摘事項判定結果入力画面を表示させる。この指摘事項判定結果入力画面において、指摘事項入力部２４は、会社ごとに、１又は複数の指摘事項の入力を受け付けるとともに、評価項目ごとの判定結果を受け付ける。具体的には、指摘事項入力部２４は会社名と指摘事項ファイルの入力を受け付け、さらに、判定結果入力部２５は該指摘事項ファイルに対応する判定結果の入力を受け付ける。登録ボタン５３が押下されると、制御部２１ａはこれら入力された情報を制御部１１に送信する。
【００４３】
ここで、指摘事項ファイルについて説明する。
【００４４】
図９は指摘事項ファイルの例である。この指摘事項ファイルは、１又は複数の指摘事項関連情報セット（後述）を記憶するためのファイルである。
【００４５】
同図に示すように、指摘事項ファイルは、Ｎｏ欄、グループ欄、会社欄、調査日欄、指摘場所欄、指摘区分欄、指摘Ｎｏ欄、指摘事項欄、状況写真欄、評価項目欄、指摘ウエイト欄の各欄を含んで構成される。指摘事項関連情報セットは、これらの各欄に記入される情報からなる情報セットである。
【００４６】
Ｎｏ欄には、指摘事項の通番（指摘事項番号）が入力される。すなわち、指摘事項には、会社を跨って通番が付与される。なお、この指摘事項番号は企業グループごとに付与される。また、上記各欄に記入される情報は、この指摘事項番号ごとに１つの指摘事項関連情報セットを構成する。
【００４７】
グループ欄にはリスク調査の対象とした会社の属する企業グループの名称（企業グループ名）が、会社欄にはリスク調査の対象とした会社の名称（会社名）が、調査日欄にはリスク調査を行った日（調査日）が、指摘場所欄にはリスク調査の対象とした工場の名称及び具体的な場所（指摘場所）が、指摘区分欄には指摘事項の区分（指摘区分）を示す情報が、指摘Ｎｏ欄には指摘事項の会社ごとの通番（会社通番）が、それぞれ入力される。
【００４８】
指摘事項欄には指摘事項の具体的な内容が記入される。状況写真欄には、指摘事項の理解のために参考となる写真データファイルを示す写真データファイル名が記入される。ここで記入された写真データファイルは、指摘事項ファイルの一部を構成する。
【００４９】
評価項目欄には、上述の評価項目テーブルに記憶される評価項目のうちの１つが記入される。
【００５０】
指摘ウエイト欄には、各指摘事項の重要性を示す指摘ウエイトが記入される。なお、この指摘ウエイトは、評価項目欄に同一の評価項目が記入された１又は複数の指摘事項について、その合計が１０となる数字である。
【００５１】
以上が、指摘事項ファイルの内容である。
【００５２】
制御部１１は、第１端末装置２０ａから会社名及び上記指摘事項ファイルを受信し、記憶部１２に記憶させる。この結果、記憶部１２は、会社ごとに１又は複数の指摘事項関連情報セットを記憶する。
【００５３】
また、制御部１１は、第１端末装置２０ａから上記指摘事項ファイルに対応する判定結果を受信し、受信した判定結果に基づき、各指摘事項についてのプライオリティ（各指摘事項の改善を行うにあたっての優先順位）を取得する。以下、このプライオリティ取得処理について詳述する。
【００５４】
上述のように、判定結果は評価項目ごとに入力される。この具体的な例を表１に示す。
【００５５】
【表１】
2007115055.tif 000003
【００５６】
評価値算出部１１０は、この判定結果と、評価項目テーブルに記憶される各ウエイトと、に基づき、各評価項目についての評価値（評価項目得点）と、各大項目についての評価値（大項目得点）と、指摘事項ファイル全体についての評価値（総合評価）と、を算出する。
【００５７】
具体的には、評価値算出部１１０は、各判定結果に項目ウエイトを乗算したものを評価項目得点とする。また、評価値算出部１１０は、大項目ごとの評価項目得点の合計に業種ウエイトを乗算したものを大項目得点とする。このとき、評価値算出部１１０は、受信した会社名と対応付けて業種テーブルに記憶される業種を読み出し、さらに該読み出した業種について評価項目テーブルに記憶される業種ウエイトを読み出して使用する。さらに、評価値算出部１１０は、大項目得点の合計を総合評価とする。
【００５８】
このようにして算出される各評価値の具体的な例を表２に示す。同表では、図７に示す各ウエイトと表１に示す判定結果に基づいて各評価値が算出されている。
【００５９】
【表２】
2007115055.tif 000004
【００６０】
次に、評価値算出部１１０は、評価項目テーブルに記憶される各ウエイトと、判定結果と、算出した総合評価及び評価項目得点と、に基づき、各評価項目の改善寄与度を算出する。この改善寄与度は、ある評価項目についての指摘事項を改善することにより、総合評価がどれだけ改善されるかを示す数値である。具体的には、評価値算出部１１０は、評価項目の判定結果を仮に１０（満点、すなわち改善必要なし）とした場合に算出される総合評価と、現状の総合評価と、の変化量を改善寄与度とする。この改善寄与度を、図７に示す各ウエイトと、表１に示す判定結果と、表２に示す総合評価及び評価項目得点と、に基づいて算出した例を表３に示す。
【００６１】
【表３】
2007115055.tif 000005
【００６２】
優先順位算出部１１１は、以上のようにして算出された評価項目ごとの改善寄与度に基づき、各指摘事項の改善を行うにあたってのプライオリティを算出する。具体的には、優先順位算出部１１１は、各指摘事項の改善寄与度を、各指摘事項についての指摘ウエイトに基づき決定する。具体的には、各指摘事項についての指摘ウエイトに基づいて評価項目ごとの改善寄与度を按分したものを、各指摘事項の改善寄与度とする。そして、この改善寄与度を所定数の段階に区分し、この区分を各指摘事項のプライオリティとして取得する。
【００６３】
この具体的な例を表４に示す。同表では、表３に示す評価項目ごとの改善寄与度に基づいて、指摘事項ごとの改善寄与度が算出されている。例えば指摘事項１について説明すると、優先順位算出部１１１は、評価項目Ａ１の改善寄与度２．２５に、指摘ウエイトの割合すなわち７／１０を乗算した結果である１．５７５を、指摘事項１についての改善寄与度としている。
【００６４】
なお、表３において、項目Ｂ２の改善寄与度は０、すなわち項目Ｂ２について改善すべき点はないこととされており、表４において項目Ｂ２に対する指摘事項は表示されていない。また、表４では、改善寄与度を４段階に区分することとし、改善寄与度０以上３未満を区分４（プライオリティ最小）、改善寄与度３以上５未満を区分３、改善寄与度５以上７未満を区分２、改善寄与度７以上を区分１（プライオリティ最大）としている。
【００６５】
【表４】
2007115055.tif 000006
【００６６】
記憶部１２は、各指摘事項を、以上のようにして取得した各指摘事項についてのプライオリティとともに記憶する。すなわち、制御部１１は、各指摘事項とプライオリティとを対応付けて記憶部１２に記憶させる。
【００６７】
以上説明したようにして、コンサルタントはサーバ装置１０に指摘事項関連情報セットと、各診断項目についての判定結果と、を入力し、サーバ装置１０は入力された指摘事項関連情報セットを記憶するとともに、各指摘事項についてのプライオリティを算出し、記憶している。
【００６８】
次に、工場の担当者にサーバ装置１０に記憶される指摘事項を確認させ、さらに各指摘事項についての改善報告を入力させるための構成について説明する。
【００６９】
初めに、記憶部１２に記憶される情報と、第２端末装置２０ｂのディスプレイ上に表示される画面と、について説明する。
【００７０】
記憶部１２は、各指摘事項関連情報セットにそれぞれ対応付けて改善報告を記憶している。具体的には、記憶部１２は、後述するようにして入力される改善内容や進捗情報からなる改善報告セットを、指摘事項関連情報セットを示す指摘事項番号と対応付けて記憶するための改善報告テーブルを記憶する。図１０は、この改善報告テーブルの例を示す図である。同図に示すように、改善報告テーブルには、指摘事項番号と対応付けて、具体的な改善内容と、進捗情報と、担当者情報と、完了予定日情報と、改善完了日情報と、改善写真情報と、が記憶される。
【００７１】
なお、改善報告テーブルに記憶される進捗情報は「未実施」「検討中」「実施済」のいずれかであり、記憶部１２はこれら複数の進捗情報を進捗情報候補情報として記憶する。また、完了予定日情報及び改善完了日情報は日付データである。
【００７２】
さらに、改善写真情報は、改善状況の理解のために参考となる写真データファイルを示す写真データファイル名である。この写真データファイルは、改善報告テーブルに記憶されるデータの一部を構成する。
【００７３】
このように、記憶部１２は指摘事項ファイル及び改善報告テーブルを記憶している。そして、記憶部１２は、この指摘事項ファイル及び改善報告テーブルに基づいて改善状況一覧画面を生成するための改善状況一覧画面生成元データを記憶している。
【００７４】
図１１は、この改善状況一覧画面の例を示す図である。同図に示すように、改善状況一覧画面は、検索条件記入欄６１と、検索ボタン６２と、一覧表表示部６３と、を含んで構成される。この改善状況一覧画面は、第２端末装置２０ｂのユーザが検索ボタン６２を押下すると、検索条件記入欄６１に記入された内容がサーバ装置１０に送信されるように構成される。
【００７５】
この改善状況一覧画面の一覧表表示部６３には、上記指摘事項関連情報セットに含まれる各情報、各指摘事項についてのプライオリティ、及び上記改善報告テーブルに含まれる進捗情報が、指摘事項番号ごとに一覧で表示される。各指摘事項番号は次に説明する改善状況詳細画面へのハイパーリンクとなっており、ユーザがクリックすると、クリックした指摘事項番号により特定される指摘事項関連情報セットについての改善状況詳細画面が開くように構成される。
【００７６】
記憶部１２は、この改善状況詳細画面を生成するための改善状況詳細画面生成元データを記憶している。図１２は、改善状況詳細画面の例を示す図である。同図に示すように、改善状況詳細画面は、指摘事項番号表示欄７０と、基本事項欄７２と、指摘事項表示欄７３と、改善内容欄７４と、登録ボタン７５と、を含んで構成される。また、基本事項欄７２には進捗選択コンボボックス７２１及び担当記入欄７２２が含まれ、改善内容欄７４には改善内容記入欄７４１と、改善写真貼付欄７４２と、完了予定日記入欄７４３と、改善完了日記入欄７４４とが含まれる。
【００７７】
この改善状況詳細画面は、第２端末装置２０ｂのユーザが登録ボタン７５を押下すると、基本事項欄７２及び改善内容欄７４に含まれる各欄において選択若しくは記入された内容がサーバ装置１０に対して送信されるように構成される。
【００７８】
リスクマネジメントシステム１は、以上の記憶部１２に記憶される情報と、画面と、を利用して、工場の担当者にサーバ装置１０に記憶される指摘事項を確認させるとともに、担当者が入力する各指摘事項についての改善報告の入力を受け付ける。以下、このための構成について、詳細に説明する。
【００７９】
まず、制御部２１ｂは、第２端末装置２０ｂの各部を制御する。
【００８０】
表示部２２ｂは、制御部２１ｂの制御に従い、第２端末装置２０ｂのディスプレイに、ブラウザソフト起動のためのアイコンを表示する。担当者がこのアイコンをクリックすると、ブラウザソフトが起動する。このブラウザソフトにおいて、制御部２１ｂはＵＲＬの入力を受け付ける。担当者がサーバ装置１０を示すＵＲＬを入力すると、制御部２１ｂは、サーバ装置１０に対して接続要求を送信する。
【００８１】
制御部１１は上記接続要求を受信し、ログイン画面表示データを生成する。具体的には、上記接続要求に応じて上記ログイン画面生成元データを読み出してログイン画面を表示するためのログイン画面表示データを生成し、制御部２１ｂに対して送信する。
【００８２】
制御部２１ｂは、受信したログイン画面表示データに基づき、表示部２２ｂにログイン画面を表示させる。このログイン画面において、制御部２１ｂはユーザＩＤとパスワードの入力を受け付け、制御部１１に送信する。
【００８３】
制御部１１はユーザＩＤとパスワードを受信し、ユーザＩＤがユーザＩＤテーブルに記憶されているもののいずれかと一致するか否かを確認する。制御部１１はさらに、一致したユーザＩＤと対応付けて記憶されているパスワードと入力されたパスワードとが一致しているか否かを確認する。パスワードの一致まで確認された場合、制御部１１は、ユーザＩＤと対応付けて記憶されている種別を取得する。ここではこの種別として、工場の担当者であること及び該担当者が会社「Ａ工機」に属することを示すデータが取得されたものとして説明を続ける。なお、以下ではここで取得された会社をログイン会社と称する。
【００８４】
種別として工場の担当者あることを示すデータが取得されると、制御部１１は、改善状況一覧画面表示データを生成する。具体的には、改善状況一覧画面生成元データを読み出して改善状況一覧画面を表示するための改善状況一覧画面表示データを生成し、制御部２１ｂに対して送信する。このとき、制御部１１は、記憶部１２に記憶される指摘事項ファイルのうちログイン会社についてのものを参照し、改善状況一覧画面表示データに含めることとしてもよい。
【００８５】
制御部２１ｂは、受信した改善状況一覧画面表示データに基づき、表示部２２ｂに改善状況一覧画面を表示させる。
【００８６】
次に、制御部２１ｂは、改善状況一覧画面において検索条件記入欄６１に含まれる各項目記入欄への入力を受け付け、検索ボタン６２が押下されると、これら入力された情報を制御部１１に送信する。
【００８７】
制御部１１は、検索条件記入欄６１に含まれる各項目記入欄に入力された情報を受信すると、該情報に基づき、記憶部１２に記憶される１又は複数の指摘事項を読み出して、これらが表示部２２ｂに表示されるようにする。
【００８８】
具体的には、制御部１１は、ログイン会社についての指摘事項ファイルの中から、１又は複数の指摘事項関連情報セットを選択する。このとき、制御部１１は、検索条件記入欄６１に含まれる各項目記入欄に入力された情報と、指摘事項関連情報セットに含まれる情報又は各指摘事項に対応付けて記憶されるプライオリティと、が一致乃至部分一致するものを選択することが好適である。
【００８９】
指摘事項関連情報セットを選択すると、制御部１１は、改善状況一覧画面表示データを再生成する。具体的には、改善状況一覧画面生成元データを読み出して改善状況一覧画面を表示するための改善状況一覧画面表示データを再生成し、制御部２１ｂに対して送信する。
【００９０】
このとき、制御部１１は、指摘事項関連情報セットに含まれる各情報を一覧表表示部６３に含め、さらに各指摘事項関連情報セットのうちの少なくとも一部の情報（例えば指摘事項番号）については該指摘事項関連情報セットにより特定される改善状況詳細画面へのハイパーリンクを設定して、改善状況一覧画面表示データを生成する。
【００９１】
さらに、制御部１１は、各指摘事項番号に対応付けて改善報告テーブルに記憶される改善報告の少なくとも一部（ここでは進捗情報）を、各指摘事項と対応付けて一覧表表示部６３に含める。
【００９２】
他にも、制御部１１は、各指摘事項について記憶されるプライオリティを、各指摘事項と対応付けて一覧表表示部６３に含める。
【００９３】
制御部２１ｂは、受信した改善状況一覧画面表示データに基づき、表示部２２ｂに改善状況一覧画面を再表示させる。これにより、表示部２２ｂは、指摘事項関連情報セットに含まれる指摘事項を表示するとともに、該指摘事項を表示する際、該指摘事項を含む指摘事項関連情報セットに対応する改善報告の少なくとも一部（ここでは進捗情報）と、該指摘事項に対応するプライオリティとを、該指摘事項と対応付けて、一覧表表示部６３に表示する。
【００９４】
また、制御部１１によって複数の指摘事項関連情報セットが選択された場合、表示部２２ｂは、複数の指摘事項関連情報セットにそれぞれ含まれる複数の指摘事項と、これらの各指摘事項が含まれる複数の指摘事項関連情報セットにそれぞれ対応付けて記憶される改善報告の少なくとも一部（ここでは進捗情報）と、該各指摘事項にそれぞれ対応付けて記憶されるプライオリティと、を対応付けて、一覧表表示部６３に表示する。
【００９５】
つまり、表示部２２ｂは、図１１に例示するように、指摘事項関連情報セット及び改善報告セットの少なくとも一部と、プライオリティと、を一覧表表示部６３に表示する。
【００９６】
このとき、制御部２１ｂは、各指摘事項についてそれぞれ記憶されるプライオリティに応じて、表示部２２ｂに１又は複数の指摘事項を表示させる。具体的には、制御部２１ｂは各指摘事項についてのプライオリティに基づき、表示部２２ｂにおいて表示させる指摘事項の表示順を制御する。より具体的には、指摘事項をプライオリティ順にソートし、プライオリティが高いものほど、一覧表表示部６３の上方に表示されるように制御することが好適である。
【００９７】
また、制御部２１ｂは、プライオリティが互いに異なる複数の指摘事項を表示させる場合、プライオリティが低いものが表示されることを制限することとしてもよい。すなわち、プライオリティが高いものだけを表示するように表示部２２ｂを制御することとしてもよい。
【００９８】
制御部２１ｂは、表示部２２ｂに表示させた１又は複数の指摘事項についての改善報告を改善報告入力部２３に受け付けさせる。このための構成について以下説明する。
【００９９】
制御部２１ｂは、改善状況一覧画面において各指摘事項関連情報セットについて設定されたハイパーリンクのクリックを受け付ける。ある指摘事項関連情報セットについて設定されたハイパーリンクがクリックされると、制御部２１ｂは、この指摘事項関連情報セット（以下、表示対象指摘事項関連情報セットと称する。）により特定される改善状況詳細画面を示す改善状況詳細画面情報を制御部１１に送信する。
【０１００】
改善状況詳細画面情報を受信すると、制御部１１は、表示対象指摘事項関連情報セットについての改善状況詳細画面表示データを生成する。具体的には、改善状況詳細画面生成元データを読み出して、表示対象指摘事項関連情報セットを表示するための改善状況詳細画面表示データを生成し、制御部２１ｂに対して送信する。
【０１０１】
このとき、制御部１１は、ログイン会社についての指摘事項ファイルから表示対象指摘事項関連情報セットを読み出し、該表示対象指摘事項関連情報セットに含まれる各情報を指摘事項番号表示欄７０、基本事項欄７２、及び指摘事項表示欄７３に含める。具体的には、制御部１１は、指摘事項番号表示欄７０には該表示対象指摘事項関連情報セットに含まれる指摘事項番号を、基本事項欄７２には該表示対象指摘事項関連情報セットに含まれる企業グループ名、会社名、指摘場所、指摘区分、及び調査日を、それぞれ含める。また、制御部１１は、指摘事項表示欄７３には、該表示対象指摘事項関連情報セットに含まれる会社通番及び指摘事項を含めるとともに、該表示対象指摘事項関連情報セットに含まれる写真データファイルにより示される写真を貼り付ける。
【０１０２】
また、制御部１１は表示対象指摘事項関連情報セットに含まれる指摘事項と対応付けて記憶されるプライオリティを読み出し、基本事項欄７２に含める。
【０１０３】
また、改善報告テーブルにおいて、表示対象指摘事項関連情報セットに含まれる指摘事項番号と対応付けて改善報告セットが記憶されていれば、制御部１１は該改善報告セット（以下、表示対象改善報告セットと称する。）を取得する。そして、表示対象改善報告セットに含まれる各情報を、基本事項欄７２及び改善内容欄７４に含める。
【０１０４】
具体的には、制御部１１は、表示対象改善報告セットに含まれる改善内容を取得する。制御部１１は、取得した改善内容を、改善内容欄７４に含める。また、制御部１１は、複数の上記進捗情報候補情報を取得する。ここでは上述のように、進捗情報選択候補情報は「未実施」「検討中」「実施済」の３つである。制御部１１は、これら取得した進捗情報選択候補情報を、進捗選択コンボボックス７２１において選択可能とする。そしてさらに、制御部１１は、表示対象改善報告セットに含まれる進捗情報を取得し、この取得した進捗情報を、進捗選択コンボボックス７２１の初期選択進捗情報とする。
【０１０５】
また、制御部１１は、表示対象改善報告セットに含まれる担当者情報、完了予定日情報、及び改善完了日情報を取得する。そして、制御部１１は、取得した担当者情報を担当記入欄７２２に含め、取得した完了予定日情報及び改善完了日情報を、それぞれ完了予定日記入欄７４３及び改善完了日記入欄７４４に含める。
【０１０６】
さらに、制御部１１は、表示対象改善報告セットに含まれ改善写真情報により示される写真データファイルを取得する。そして、制御部１１は、取得した写真データファイルにより示される写真を改善写真貼付欄７４２に貼り付ける。
【０１０７】
制御部２１ｂは、受信した改善状況詳細画面表示データに基づき、表示部２２ｂに改善状況詳細画面を表示させる。このとき、図１２に例示するように、表示対象指摘事項関連情報セットに含まれる各情報、及び表示対象改善報告セットに含まれる各情報が表示される。
【０１０８】
改善報告入力部２３は、改善状況詳細画面において改善報告の入力を受け付ける。具体的には、改善報告入力部２３は、進捗選択コンボボックス７２１の選択、担当記入欄７２２、改善内容記入欄７４１、完了予定日記入欄７４３、及び改善完了日記入欄７４４の各欄への入力、改善写真貼付欄７４２への写真の貼付、をそれぞれ受け付け、登録ボタン７５が押下されると、これら選択、入力、又は貼付された情報（改善報告情報）を制御部１１に送信する。
【０１０９】
以上のようにして、制御部２１ｂは、表示部２２ｂに表示させた１又は複数の指摘事項についての改善報告を改善報告入力部２３に受け付けさせている。
【０１１０】
制御部１１は、第２端末装置２０ｂから上記改善報告情報を受信し、改善報告テーブルにおいて表示対象改善報告セットが既に記憶されていれば、該表示対象改善報告セットを受信した改善報告情報により上書きする。一方、制御部１１は、改善報告テーブルにおいて表示対象改善報告セットが記憶されていない場合には、表示対象指摘事項関連情報セットに含まれる指摘事項番号と対応する改善報告セットとして、受信した改善報告情報をその内容とする改善報告セットを生成し、改善報告テーブルに記憶させる。
【０１１１】
以上説明したようにして、工場の担当者はサーバ装置１０に改善報告を入力し、サーバ装置１０は入力された改善報告を指摘事項と対応付けて記憶する。
【０１１２】
次に、以上のようにして入力された改善報告に含まれる進捗情報に基づき、サーバ装置１０がプライオリティを更新するための構成について説明する。
【０１１３】
進捗情報が「実施済」となった指摘事項については、最早改善する必要はないため、プライオリティを下げるべきである。そこで制御部１１は、各指摘事項について改善報告テーブルに記憶される進捗情報に基づき、指摘事項ファイルに含まれる指摘ウエイトを更新する。具体的には、制御部１１は進捗情報が「実施済」となっている指摘事項についての指摘ウエイトを０に変更する。さらに、該指摘事項が含まれる評価項目に含まれる他の指摘事項についての指摘ウエイトの合計が１０となるように、指摘ウエイトを配分しなおす。そして制御部１１は、改善寄与度及びプライオリティについても、新たな指摘ウエイトにより算出しなおす。
【０１１４】
この具体的な例を表５に示す。同表は、表４において指摘事項５が「実施済」となった場合の例である。この場合、例えば指摘事項４の新たな指摘ウエイトは、３（指摘事項４についての元の指摘ウエイト）×１０／（１０−２（指摘事項５についての元の指摘ウエイト））＝３．７５となる。改善寄与度及びプライオリティについても、このようにして算出された新たな指摘ウエイトに基づいて算出しなおされている。
【０１１５】
【表５】
2007115055.tif 000007
【０１１６】
制御部１１は、以上のようにして取得した各指摘事項についての新たなプライオリティにより、各指摘事項と対応付けて記憶部１２に記憶しているプライオリティを更新する。以後は、この新たなプライオリティに基づいて、制御部２１ｂによる指摘事項の表示順制御がなされることになる。
【０１１７】
最後に、上記選択画面において、改善状況一覧画面表示ボタン４６が押下された場合の処理のための構成について説明する。この場合、制御部２１ａは、サーバ装置１０に対し、改善状況一覧画面表示ボタン４６を示す選択ボタン情報を送信する。
【０１１８】
制御部１１は、上述のように、この選択ボタン情報を受信する。この選択ボタン情報が改善状況一覧画面表示ボタン４６を示している場合、制御部１１は改善状況一覧画面表示データを生成する。具体的には、上述した処理と同様の処理により、改善状況一覧画面生成元データを読み出して改善状況一覧画面を表示するための改善状況一覧画面表示データを生成し、制御部２１ａに対して送信する。
【０１１９】
制御部２１ａは、受信した改善状況一覧画面表示データに基づき、記憶部１２に記憶される１又は複数の指摘事項と、該各指摘事項と対応付けてそれぞれ記憶される改善報告と、を対応付けて、表示部２２ａに表示させる。具体的には、制御部２１ａは、表示部２２ａに上記改善状況一覧画面を表示させる。この改善状況一覧画面や改善状況詳細画面に関連する詳細な構成については、上記同様である。ただし、ユーザＩＤによりユーザがコンサルタントであることが示される場合には、改善状況詳細画面において指摘事項表示欄７３についても入力可能とし、これらが入力され、かつ登録ボタン７５が押下された場合には、制御部１１が入力内容に応じて指摘事項ファイルを更新することとしてもよい。
【０１２０】
以上説明したように、リスクマネジメントシステム１においては、外部コンサルタントや企業の内部者（特にリスク管理の専任者や企業経営者）は、第１端末装置において指摘事項ごとに改善報告を確認することができるので、リスクマネジメントにおいて、これらの者による改善状況のリアルタイム管理を実現することができる。
【０１２１】
また、第２端末装置はプライオリティに応じて指摘事項を表示するので、内部担当者はどの指摘事項から改善していくべきか、認識することができるようになる。
【０１２２】
さらに、リスクマネジメントシステム１は、外部コンサルタントや企業の内部者（特にリスク管理の専任者や企業経営者）の判定結果に基づいてプライオリティを取得することができるようになる。
【図面の簡単な説明】
【０１２３】
【図１】本発明の実施の形態に係るリスクマネジメントシステムのシステム構成を示す図である。
【図２】本発明の実施の形態に係るリスクマネジメントシステムの機能ブロックを示す図である。
【図３】本発明の実施の形態に係るユーザＩＤテーブルを示す図である。
【図４】本発明の実施の形態に係るログイン画面を示す図である。
【図５】本発明の実施の形態に係る選択画面を示す図である。
【図６】本発明の実施の形態に係る指摘事項判定結果入力画面を示す図である。
【図７】本発明の実施の形態に係るウエイト記憶テーブルを示す図である。
【図８】本発明の実施の形態に係る業種テーブルを示す図である。
【図９】本発明の実施の形態に係る指摘事項ファイルを示す図である。
【図１０】本発明の実施の形態に係る改善報告テーブルを示す図である。
【図１１】本発明の実施の形態に係る改善状況一覧画面を示す図である。
【図１２】本発明の実施の形態に係る改善状況詳細画面を示す図である。
【符号の説明】
【０１２４】
１  リスクマネジメントシステム、１０  サーバ装置、１１  制御部、１２  記憶部、２０ａ  第１端末装置、２０ｂ  第２端末装置、２１ａ  制御部、２１ｂ  制御部、２２ａ  表示部、２２ｂ  表示部、２３  改善報告入力部、２４  指摘事項入力部、２５  判定結果入力部、３０  インターネット、４０  ユーザＩＤ入力ボックス、４１  パスワード入力ボックス、４２  ログインボタン、４５  指摘事項入力画面表示ボタン、４６  改善状況一覧画面表示ボタン、５０  会社選択コンボボックス、５１  指摘事項ファイルアドレス入力ボックス、５２  判定結果入力表、５３  登録ボタン、６１  検索条件記入欄、６２  検索ボタン、６３  一覧表表示部、７０  指摘事項番号表示欄、７２  基本事項欄、７３  指摘事項表示欄、７４  改善内容欄、７５  登録ボタン、１１０  評価値算出部、１１１  優先順位算出部、７２１  進捗選択コンボボックス、７２２  担当記入欄、７４１  改善内容記入欄、７４２  改善写真貼付欄、７４３  完了予定日記入欄、７４４  改善完了日記入欄。
【図１】
2007115055.tif 000008
【図２】
2007115055.tif 000009
【図３】
2007115055.tif 000010
【図４】
2007115055.tif 000011
【図５】
2007115055.tif 000012
【図６】
2007115055.tif 000013
【図７】
2007115055.tif 000014
【図８】
2007115055.tif 000015
【図９】
2007115055.tif 000016
【図１０】
2007115055.tif 000017
【図１１】
2007115055.tif 000018
【図１２】
2007115055.tif 000019